【事件の表示】
　特願２０００−６７０７７「遊技機」拒絶査定不服審判事件〔平成１３年９月１８日出願公開、特開２００１−２５２４０１〕について、次のとおり審決する。
【結　論】
　本件審判の請求は、成り立たない。
【理　由】
１　手続の経緯
　本願は、平成１２年３月１０日の出願であって、平成１５年１１月１０日付で拒絶査定がなされ、これに対し、同年１２月１０日に拒絶査定に対する審判が請求されるとともに、同日付で手続補正がなされたものである。
　
２　平成１５年１２月１０日付の手続補正についての補正却下の決定
［補正却下の決定の結論］
　平成１５年１２月１０日付の手続補正を却下する。
　
［理由］
（１）補正後の本願発明
　平成１５年１２月１０日付の手続補正（以下、「本件補正」という）により、特許請求の範囲の請求項１は、次のとおりに補正された。
　
　「遊技制御を司る主制御手段(50)と、複数の図柄を変動表示可能な図柄表示手段(22)と、この図柄表示手段(22)を制御する図柄制御手段(40)と、遊技者の遊技に関連して抽選を行なう抽選手段(51)と、この抽選手段(51)から抽選結果を受けて判定する判定手段(52)と、この判定手段(52)から特別判定を受けたとき遊技者に利益状態を与える特別遊技とする特別遊技発生手段(53)とを備えた遊技機において、
　
少なくとも遊技者による遊技が行われていないときに
であって、前記図柄表示手段(22)で構成された客呼び込み表示手段(22A)
　前記客呼び込み表示手段(22A)に行わせる複数の客呼び込みの表示態様を予め設定して記憶させた客呼び込み表示態様記憶手段(63)
であって、前記図柄制御手段(40)に設けられた客呼び込み表示態様記憶手段(63)
　前記主制御手段(50)から遊技制御に関連する制御信号が所定期間に亙って出力されない場合に、客呼び込み表示態様記憶手段(63)に記憶した１又は複数の客呼び込みの表示態様を抽選にて選択し、客呼び込み表示手段(22A)に客呼び込み表示を行わせる客呼び込み制御手段(64)
であって、前記図柄制御手段(40)に設けられた客呼び込み制御手段(64)
　を備えたことを特徴とする遊技機。」
　
　上記補正は、平成１５年９月１６日付の手続補正書の特許請求の範囲の請求項１に記載された発明に、発明を特定するために必要な事項である「客呼び込み表示手段」、「客呼び込み表示態様記憶手段」及び「客呼び込み制御手段」について限定を付加するものであって、特許法第１７条の２第４項第２号の特許請求の範囲の減縮を目的とするものに該当する。
　そこで、本件補正後の請求項１に記載された発明（以下、「本願補正発明」という）が特許出願の際独立して特許を受けることができるものであるか（平成１５年改正前特許法第１７条の２第５項において準用する同法第１２６条第４項の規定に適合するか）について以下に検討する。
　　
（２）引用例
　　原査定の拒絶の理由に引用された特開平６−２１８１１６号公報（以下、「引用例」という）には、図面とともに、以下の事項が記載されている。
　
（ａ）「複数の識別情報を可変表示する映像表示装置の停止識別情報態様に基づいて予め定められた特別遊技を行い、少なくとも映像表示装置での可変表示を開始できる特定遊技状態になったことを検出する特定遊技状態検出手段と、遊技状態の制御を行う遊技制御手段と、前記映像表示装置の作動を制御する表示制御手段とを備えた遊技機において、前記遊技制御手段は、特定遊技状態検出手段からの検出信号に基づいて前記映像表示装置の可変表示開始を指令する可変表示開始指令手段を有し、前記表示制御手段は、映像表示装置が特定の表示状態にあるとき、前記可変表示開始指令手段からの可変表示開始指令の有無を監視し、所定時間可変表示開始指令が出力されないときに特定表示態様の表示を指令する表示側特定表示指令手段を有することを特徴とする遊技機。」（特許請求の範囲、請求項１）
（ｂ）「可変表示装置１０２は始動入賞口１０３、１０５、１０６に玉が入賞したとき、その表示図柄を変化させ、その図柄が特定の利益状態（すなわち、特別遊技状態で、例えば、大当りのゾロ目状態：「７７７」など）になると、変動入賞装置（アタッカー）１０４が開放するようになっている。・・・」（段落００３８）
（ｃ）「・・・表示用ＣＰＵ３０２は役物用ＣＰＵ３０１からのコマンドやデータを片側方向に対してのみデータの送信が行われるデータ線３５０を介して受信し、可変表示装置１０２の表示図柄を可変作動させるための制御を行うとともに、制御プログラム等を格納しているＲＯＭ３５１と、ワークエリアの設定や制御に必要なデータの一時記憶等を行うＲＡＭ３５２を内蔵している。・・・」（段落００６２）
（ｄ）「表示用ＣＰＵ３０２は可変表示装置１０２に表示する表示データ（文字や図形等のデータ）を予め記憶しているフォントＲＯＭ（第１の情報記憶手段）３５３と、可変表示装置１０２に表示する映像データを１画面分を単位として格納しているＶ−ＲＡＭ（第２の情報記憶手段）３５４との間でデータの授受を行うようになっている。」（段落００６３）
（ｅ）「ここで、役物用ＣＰＵ３０１、ＲＡＭ３１１およびＲＯＭ３１４は全体として遊技制御手段３６０を構成し、可変表示開始指令手段、遊技側特定表示指令手段、可変表示開始指令手段、監視期間設定手段、特別図柄判定手段、特別遊技制御手段としての機能を実現する。一方、表示用ＣＰＵ３０２、ＲＯＭ３５１、ＲＡＭ３５２、フォントＲＯＭ３５３およびＶ−ＲＡＭ３５４は全体として表示制御手段３７０を構成し、表示側特定表示指令手段、表示情報設定手段、監視期間設定手段、駆動手段としての機能を実現する。」（段落００６６）
（ｆ）「・・・次いで、ステップＳ２２で乱数の更新処理を行う。これは、大当りを抽選する乱数を生成するものである。・・・」（段落００７３）
（ｇ）「・・・ステップＳ４４では特図ゲーム処理を行う。これは、特別図柄のゲームを実行するもので、大当り図柄の判定、ファンファーレ表示、はずれ表示等が行われる。」（段落００７６）
（ｈ）「ここで、本実施例では詳細を後述するように、可変表示装置１０２がはずれ画面を表示しているとき、所定時間（１分間）が経過しても、役物制御用ＣＰＵ３０１からの可変表示開始コマンドを表示制御用ＣＰＵ３０２側で受信しない場合には（後述の図１５のフローチャート参照）、特図を消灯し、画像を呼込み画面に切り換える制御を行っているが（つまり、表示制御用ＣＰＵ３０２側での判断による）、・・・」（段落００７７）
（ｉ）「・・・呼込み表示は遊技者をパチンコ機１に呼込むためのもので・・・」（段落０１２８）
（ｊ）「以上のように本実施例では、ゲームの進行中に可変表示図柄の判定結果がはずれとなった後、所定時間（例えば、１分間）が経過しても役物制御用ＣＰＵ３０１からの可変表示開始コマンドを表示制御用ＣＰＵ３０２側で受信しない場合には、画像が呼込み画面に切り換えられる。・・・」（段落０１５９）
　
　以上の記載事項を参酌すると、引用例には次の発明（以下、「引用発明」という）が記載されているものと認められる。
　
　「遊技状態の制御を行う遊技制御手段と、複数の識別情報を可変表示する映像表示装置と、前記映像表示装置の作動を制御する表示制御手段とを備え、大当りを抽選する乱数を生成し、
大当り図柄の判定を行い、その図柄が特定の利益状態（特別遊技状態）になると、変動入賞装置１０４が開放するようになっている遊技機において、
　可変表示装置１０２に表示する表示データを予め記憶しているフォントＲＯＭ３５３を備え、
　可変表示装置１０２がはずれ画面を表示しているとき、所定時間が経過しても、役物制御用ＣＰＵ３０１からの可変表示開始コマンドを表示制御用ＣＰＵ３０２側で受信しない場合には、表示制御用ＣＰＵ３０２側での判断により、遊技者をパチンコ機１に呼込むための呼込み画面に画像を切り換える制御を行う遊技機。」
　
（３）対比
　そこで、本願補正発明と引用発明を比較すると、引用発明の「遊技状態の制御を行う遊技制御手段」は本願補正発明の「遊技制御を司る主制御手段」に相当し、以下同様に、「識別情報」は「図柄」に、「可変表示」は「変動表示」に、「映像表示手段」及び「可変表示手段１０４」は「図柄表示手段」に、「表示制御手段」は「図柄制御手段」にそれぞれ相当する。さらに、
　（ア）引用発明は、「大当りを抽選する乱数を生成し、大当り図柄の判定を行」うことから、本願補正発明の「遊技者の遊技に関連して抽選を行なう抽選手段と、この抽選手段から抽選結果を受けて判定する判定手段」に対応する構成を実質的に備えている。
　（イ）引用発明の「図柄が特定の利益状態（特別遊技状態）になると、変動入賞装置１０４が開放する」点について、「図柄が特定の利益状態（特別遊技状態）になると」は本願補正発明の「判定手段から特別判定を受けたとき」に対応し、「変動入賞装置１０４が開放する」は本願補正発明の「遊技者に利益状態を与える特別遊技とする」ことに他ならない。よって、引用発明は本願補正発明の「判定手段から特別判定を受けたとき遊技者に利益状態を与える特別遊技とする特別遊技発生手段」に対応する構成を実質的に備えている。
　（ウ）引用発明は、「可変表示装置１０２がはずれ画面を表示しているとき」に一定の条件下で「遊技者をパチンコ機１に呼込むための呼込み画面に画像を切り換える制御を行う」ものであるから、「可変表示装置１０２」（図柄表示手段）は「客呼び込み表示手段」を構成しており、当該客呼び込み表示手段が「少なくとも遊技者による遊技が行われていないときに客の呼び込みを促す」ものであることは自明である。よって、引用発明は本願補正発明の「少なくとも遊技者による遊技が行われていないときに客の呼び込みを促す客呼び込み表示を表示可能な客呼び込み表示手段であって、前記図柄表示手段で構成された客呼び込み表示手段」に対応する構成を実質的に備えている。
　（エ）引用発明の「フォントＲＯＭ３５３」は、「可変表示装置１０２に表示する表示データを予め記憶している」ものであるから、「客呼び込み表示手段に行わせる客呼び込みの表示態様」も予め設定して記憶していることは明らかであり、本願補正発明の「客呼び込み表示態様記憶手段」に相当する。また、引用例の「・・・フォントＲＯＭ３５３・・・は全体として表示制御手段３７０を構成し」の記載（上記（２）（ｅ）参照）によれば、「フォントＲＯＭ３５３」（客呼び込み表示態様記憶手段）は「表示制御手段３７０」（図柄制御手段）に設けられている。よって、引用発明と本願補正発明は「前記客呼び込み表示手段に行わせる客呼び込みの表示態様を予め設定して記憶させた客呼び込み表示態様記憶手段であって、前記図柄制御手段に設けられた客呼び込み表示態様記憶手段」を備えている点で共通する。
　（オ）引用発明の「所定時間が経過しても、役物制御用ＣＰＵ３０１からの可変表示開始コマンドを表示制御用ＣＰＵ３０２側で受信しない場合」について、引用例の「・・・役物用ＣＰＵ３０１・・・は全体として遊技制御手段３６０を構成し」の記載（上記（２）ｅ参照）によると、「役物制御用ＣＰＵ３０１」は「遊技制御手段３６０」（主制御手段）の一部であり、「可変表示開始コマンド」は「遊技制御に関連する制御信号」と換言することができるから、本願補正発明の「主制御手段から遊技制御に関連する制御信号が所定期間に亙って出力されない場合」に対応するものである。また、引用発明の「表示制御用ＣＰＵ３０２側での判断により、遊技者をパチンコ機１に呼込むための呼込み画面に画像を切り換える制御を行う」について、引用発明がかかる制御を行うための「客呼び込み制御手段」を備えていることは自明であり、かつ、かかる制御を「表示制御用ＣＰＵ３０２側での判断により」行うことから、「客呼び込み制御手段」が「表示制御用ＣＰＵ３０２」（図柄制御手段）に設けられていることも明らかである。よって、引用発明と本願補正発明は「主制御手段から遊技制御に関連する制御信号が所定期間に亙って出力されない場合に、客呼び込み表示手段に客呼び込み表示を行わせる客呼び込み制御手段であって、図柄制御手段に設けられた客呼び込み制御手段」を備えている点で共通する。
　
　したがって、両者は、
　「遊技制御を司る主制御手段と、複数の図柄を変動表示可能な図柄表示手段と、この図柄表示手段を制御する図柄制御手段と、遊技者の遊技に関連して抽選を行なう抽選手段と、この抽選手段から抽選結果を受けて判定する判定手段と、この判定手段から特別判定を受けたとき遊技者に利益状態を与える特別遊技とする特別遊技発生手段とを備えた遊技機において、
　少なくとも遊技者による遊技が行われていないときに客の呼び込みを促す客呼び込み表示を表示可能な客呼び込み表示手段であって、前記図柄表示手段で構成された客呼び込み表示手段と、
　前記客呼び込み表示手段に行わせる客呼び込みの表示態様を予め設定して記憶させた客呼び込み表示態様記憶手段であって、前記図柄制御手段に設けられた客呼び込み表示態様記憶手段と、
　前記主制御手段から遊技制御に関連する制御信号が所定期間に亙って出力されない場合に、客呼び込み表示手段に客呼び込み表示を行わせる客呼び込み制御手段であって、前記図柄制御手段に設けられた客呼び込み制御手段とを備えた遊技機。」
である点で一致し、以下の点で相違する。
　
（相違点１）
　客呼び込み表示態様記憶手段が予め設定して記憶した客呼び込みの表示態様が、本願補正発明では複数あるのに対して、引用発明では一つである点。
　
（相違点２）
　客呼び込み制御手段が客呼び込み表示手段に客呼び込み表示を行わせるにあたり、本願補正発明では、客呼び込み表示態様記憶手段に記憶した１又は複数の客呼び込みの表示態様を抽選にて選択するのに対して、引用発明では、客呼び込み表示態様記憶手段に記憶した一つの客呼び込みの表示態様により行う点。
　
（４）判断
　まず、上記相違点１について検討すると、本願補正発明が属する遊技機の技術分野において、複数の客呼び込みの表示態様を客呼び込み表示態様記憶手段に記憶させることは、従来周知の技術であり（特開平１０−１２７８８６号公報（段落００４７及び図９）、特開平２−１２４１９１号公報（第９頁右上欄第１７行〜右下欄第１２行及び第２７・３１図）、特開平７−２６５５１２号公報（段落０１２１〜０１２３及び図１８）参照）、当該周知技術を引用発明に適用して上記相違点１のように構成することは、当業者であれば必要に応じて容易になしえる事項である。
　また、その適用の結果、客呼び込み表示態様記憶手段に記憶させた複数の客呼び込みの表示態様の中から、客呼び込み表示を行わせる１又は複数の客呼び込みの表示態様を選択するにために「抽選」を行うこと、すなわち上記相違点２のように構成することは、本願補正発明が属する遊技機の技術分野において、変動図柄の表示態様（いわゆるリーチパターン）や特定図柄の表示態様（いわゆる大当たり図柄）を記憶手段に予め記憶した複数のものの中から抽選にて選択して表示手段に表示することが慣用されており、一般的にもスクリーンセーバーの表示制御などで慣用されているものであることから（例えば、特開平１０−１３３６３５号公報参照）、当業者にとっては必要に応じて採用しえる程度の単なる設計上の事項にすぎない。
　そして、本願補正発明の作用効果も、引用発明及び周知技術から当業者が予測できる範囲のものである。
　したがって、本願補正発明は、引用発明及び周知技術に基づいて当業者が容易に発明をすることができたものであるから、特許法第２９条第２項の規定により特許出願の際独立して特許を受けることができないものである。
　
（５）むすび
　以上のとおり、本件補正は、平成１５年改正前特許法第１７条の２第５項において準用する同法第１２６条第４項の規定に違反するものであり、特許法第１５９条第１項の規定において読み替えて準用する特許法第５３条第１項の規定により却下すべきものである。
　
３　本願発明について
（１）本願発明
　平成１５年１２月１０日付の手続補正は上記のとおり却下されたので、本願の請求項１乃至３に係る発明は、平成１５年９月１６日付手続補正書の特許請求の範囲の請求項１乃至３に記載された事項により特定されるとおりのものであり、その請求項１に係る発明（以下、「本願発明」という）は、次のとおりのものである。
　
　「遊技制御を司る主制御手段(50)と、複数の図柄を変動表示可能な図柄表示手段(22)と、この図柄表示手段(22)を制御する図柄制御手段(40)と、遊技者の遊技に関連して抽選を行なう抽選手段(51)と、この抽選手段(51)から抽選結果を受けて判定する判定手段(52)と、この判定手段(52)から特別判定を受けたとき遊技者に利益状態を与える特別遊技とする特別遊技発生手段(53)とを備えた遊技機において、
　客の呼び込みを促す客呼び込み表示を表示可能な客呼び込み表示手段(22A)と、前記客呼び込み表示手段(22A)に行わせる複数の客呼び込みの表示態様を予め設定して記憶させた客呼び込み表示態様記憶手段(63)と、
前記主制御手段(50)から遊技制御に関連する制御信号が所定期間に亙って出力されない場合に、客呼び込み表示態様記憶手段(63)に記憶した１又は複数の客呼び込みの表示態様を抽選にて選択し、客呼び込み表示手段(22A)に客呼び込み表示を行わせる客呼び込み制御手段(64)とを備えたことを特徴とする遊技機。」
　
（２）引用例
　原査定の拒絶の理由に引用された引用例、及び、その記載事項は、前記２（２）に記載したとおりである。
　
（３）対比・判断
　本願発明は、前記２で検討した本願補正発明から「客呼び込み表示手段」、「客呼び込み表示態様記憶手段」及び「客呼び込み制御手段」についての限定を省いたものである。
　そうすると、本願発明の構成要件を全て含み、さらに上記限定事項を全て付加したものに相当する本願補正発明が、前記２（４）に記載したとおり、引用発明及び周知技術に基づいて当業者が容易に発明をすることができたものであるから、本願発明も引用発明及び周知技術に基づいて当業者が容易に発明をすることができたものである。
　
（４）むすび
　以上のとおり、本願発明は、引用発明及び周知技術に基づいて当業者が容易に発明をすることができたものであるから、特許法第２９条第２項に規定により特許を受けることができない。
　よって、結論のとおり審決する